(57)【要約】無線通信システムにおいて、データ復調用参照信号(ＤＭＲＳ)を送信する方法及びそのための装置に関する。そのために、所定のサブフレームのデータ送信領域内の最初のＯＦＤＭシンボルを介して基本ＤＭＲＳを送信して、送信環境によって決定されるレベルに応じて、所定のサブフレームで付加ＤＭＲＳを送信して、基本ＤＭＲＳは送信リンク、サブフレーム構造及び送信環境に関係なく、所定のサブフレームのデータ送信領域内の最初のＯＦＤＭシンボルを介して送信することを特徴とする。【選択図】図３
2019531626.tif 000002
【特許請求の範囲】
【請求項１】
無線通信システムにおいて、データ復調用参照信号(ＤＭＲＳ)を送信する方法であって、
所定のサブフレームのデータ送信領域内の最初のＯＦＤＭシンボルを介して基本ＤＭＲＳを送信して、
送信環境によって決定されるレベルに応じて、前記所定のサブフレームで付加ＤＭＲＳを送信して、
前記基本ＤＭＲＳは送信リンク、サブフレーム構造及び送信環境に関係なく、前記所定のサブフレームのデータ送信領域内の最初のＯＦＤＭシンボルを介して送信する、ＤＭＲＳ送信方法。
【請求項２】
前記基本ＤＭＲＳは、前記所定のサブフレームのデータ送信領域が下りリンクデータ送信領域から始まる場合と、上りリンクデータ送信領域から始まる場合との両方に共通する共通データ送信領域内の最初のＯＦＤＭシンボルを介して送信する、請求項１に記載のＤＭＲＳ送信方法。
【請求項３】
前記所定のサブフレームは、最初のＯＦＤＭシンボルを介して下りリンク制御チャンネルを送信して、最後のＯＦＤＭシンボルを介して上りリンク制御チャンネルを送信して、前記下りリンク制御チャンネル送信領域と上りリンク制御チャンネル送信領域との間にデータを送信する構造を有する、請求項１に記載のＤＭＲＳ送信方法。
【請求項４】
前記付加ＤＭＲＳは、１つのＯＦＤＭシンボルの全体ＲＥ(ｒｅｓｏｕｒｃｅ Ｅｌｅｍｅｎｔ)を用いる第１のタイプのＤＭＲＳ及び特定の時間領域において一部のＲＥを用いる第２のタイプのＤＭＲＳを含む、請求項１に記載のＤＭＲＳ送信方法。
【請求項５】
前記送信環境によって決定されるレベルに応じて、前記所定のサブフレームで前記第１のタイプのＤＭＲＳが送信される回数を決定して、
前記決定された回数に対応する数の前記第１のタイプのＤＭＲＳと前記基本ＤＭＲＳとの間には同数のＯＦＤＭシンボルが存在する、請求項４に記載のＤＭＲＳ送信方法。
【請求項６】
前記第１のタイプのＤＭＲＳは、前記基本ＤＭＲＳが送信されるＯＦＤＭシンボルに後続するＯＦＤＭシンボルを介して送信される、請求項４に記載のＤＭＲＳ送信方法。
【請求項７】
前記第２のタイプのＤＭＲＳは、所定のＯＦＤＭシンボルにおいて均一な周波数間隔を有して送信される、請求項４に記載のＤＭＲＳ送信方法。
【請求項８】
前記送信環境によって決定されるレベルは、ＲＳ密度情報としてシグナリングされる、請求項１に記載のＤＭＲＳ送信方法。
【請求項９】
前記ＲＳ密度は、ドップラー効果が強いほど、遅れ拡散が激しいほど、ＭＣＳレベルが高いほど、増加させる、請求項８に記載のＤＭＲＳ送信方法。
【請求項１０】
さらに、前記所定のサブフレーム内のチャンネル変化を推定するためのＲＳを複数回繰り返して送信することを含む、請求項１に記載のＤＭＲＳ送信方法。
【請求項１１】
無線通信システムにおいて、データ復調用参照信号(ＤＭＲＳ)を送信する装置であって、
所定のサブフレームのデータ送信領域内の最初のＯＦＤＭシンボルを介して、基本ＤＭＲＳを送信して、送信環境によって決定されるレベルに応じて、前記所定のサブフレームで付加ＤＭＲＳを送信するように構成される送受信機と、
前記送受信機の前記基本ＤＭＲＳ及び前記付加ＤＭＲＳ送信を制御するプロセッサーを含み、
前記プロセッサーは、送信リンク、サブフレーム構造及び送信環境に関係なく、前記送受信機が前記所定のサブフレームのデータ送信領域内の最初のＯＦＤＭシンボルを介して前記基本ＤＭＲＳを送信するように制御する、ＤＭＲＳ送信装置。
【請求項１２】
前記プロセッサーは、前記所定のサブフレームのデータ送信領域が、下りリンクデータ送信領域から始まる場合と、上りリンクデータ送信領域から始まる場合との両方に共通する共通データ送信領域内の最初のＯＦＤＭシンボルを介して、前記基本ＤＭＲＳを送信するように制御する、請求項１１に記載のＤＭＲＳ送信装置。
【請求項１３】
前記所定のサブフレームは、最初のＯＦＤＭシンボルを介して下りリンク制御チャンネルを送信して、最後のＯＦＤＭシンボルを介して上りリンク制御チャンネルを送信して、前記下りリンク制御チャンネル送信領域と前記上りリンク制御チャンネル送信領域との間にデータを送信する構造を有する、請求項１１に記載のＤＭＲＳ送信装置。
【請求項１４】
前記付加ＤＭＲＳは、１つのＯＦＤＭシンボルの全体ＲＥ(ｒｅｓｏｕｒｃｅ Ｅｌｅｍｅｎｔ)を用いる第１のタイプのＤＭＲＳ及び特定の時間領域において一部のＲＥを用いる第２のタイプのＤＭＲＳを含む、請求項１１に記載のＤＭＲＳ送信装置。
【請求項１５】
前記プロセッサーは、前記送信環境によって決定されるレベルに応じて、前記所定のサブフレームで前記第１のタイプのＤＭＲＳが送信される回数を決定して、
前記決定された回数に対応する数の前記第１のタイプのＤＭＲＳと前記基本ＤＭＲＳとの間には同数のＯＦＤＭシンボルが存在するように制御する、請求項１１に記載のＤＭＲＳ送信装置。
【発明の詳細な説明】
【技術分野】
【０００１】
以下、無線通信システムにおいて、システム状況に応じて可変的な構造を有する参照信号を送受信する方法及びそのための装置に関して説明する。
【背景技術】
【０００２】
近来、移動通信技術に対する標準化は、ＬＴＥ及びＬＴＥ−Ａのような４Ｇ移動通信技術を経て５Ｇ移動通信に関する研究に至った。３ＧＰＰでは、５Ｇ移動通信はＮＲ(Ｎｅｗ Ｒａｄｉｏ)と称する。
【０００３】
今までのＮＲシステム設計要求事項には、非常に異なる(ｄｉｖｅｒｇｅｎｔ)要求事項が存在することが分かる。例えば、使用周波数帯域は７００ＭＨｚ〜７０ＧＨｚ、システム帯域幅は５ＭＨｚ〜１ＧＨｚ、移動速度は０ｋｍ／ｈ〜５００ｋｍ／ｈ、及び使用環境は室内、室外、大きいセルなどと様々な状況に対する支援が求まれている。
【０００４】
このように様々な要求事項が存在する状況において、最も一般的な設計方向は、上述した様々な状況のうち、最悪の状況を想定した上、システムを設計することであり、これはデータ及び／又は制御情報復調のために用いられる参照信号であるＤＭＲＳ(Ｄｅｍｏｄｕｌａｔｉｏｎ Ｒｅｆｅｒｅｎｃｅ Ｓｉｇｎａｌ)の送信においても同様である。
【発明の概要】
【発明が解決しようとする課題】
【０００５】
ただし、極端な環境を想定して、単一パターンでＮＲ ＤＭＲＳを設計する場合、リソース効率において非常に非効率的である。一方、様々なパターンのＮＲ ＤＭＲＳを設計する場合、実行複雑さ(Ｉｍｐｌｅｍｅｎｔａｔｉｏｎ ｃｏｍｐｌｅｘｉｔｙ)が増加する問題がある。
【０００６】
上述したような問題を解決するために、以下では、ＤＭＲＳを階層化して、基本ＤＭＲＳと付加ＤＭＲＳとを構成して、これを用いて可変的なＲＳ送受信方式を具現することについて説明する。
【０００７】
また、特定の状況において、制御情報復調用ＲＳをデータ復調用として有用する方式についても説明する。
【課題を解決するための手段】
【０００８】
上述した課題を解決するための本発明の一実施例によれば、無線通信システムにおいて、データ復調用参照信号(ＤＭＲＳ)を送信する方法であって、所定のサブフレームのデータ送信領域内の最初のＯＦＤＭシンボルを介して基本ＤＭＲＳを送信して、送信環境によって決定されるレベルに応じて、所定のサブフレームで付加ＤＭＲＳを送信して、基本ＤＭＲＳは送信リンク、サブフレーム構造及び送信環境に関係なく、所定のサブフレームのデータ送信領域内の最初のＯＦＤＭシンボルを介して送信する、ＤＭＲＳ送信方法を提案する。
【０００９】
基本ＤＭＲＳは、所定のサブフレームのデータ送信領域が下りリンクデータ送信領域から始まる場合と、上りリンクデータ送信領域から始まる場合との両方に共通する共通データ送信領域内の最初のＯＦＤＭシンボルを介して送信してもよい。
【００１０】
所定のサブフレームは、最初のＯＦＤＭシンボルを介して下りリンク制御チャンネルを送信して、最後のＯＦＤＭシンボルを介して上りリンク制御チャンネルを送信して、この下りリンク制御チャンネル送信領域と上りリンク制御チャンネル送信領域との間にデータを送信する構造を有してもよい。
【００１１】
付加ＤＭＲＳは、１つのＯＦＤＭシンボルの全体ＲＥ(ｒｅｓｏｕｒｃｅ Ｅｌｅｍｅｎｔ)を用いる第１のタイプのＤＭＲＳ及び特定の時間領域において一部のＲＥを用いる第２のタイプのＤＭＲＳを含んでもよい。
【００１２】
送信環境によって決定されるレベルに応じて、所定のサブフレームで第１のタイプのＤＭＲＳが送信される回数を決定して、決定された回数に対応する数の第１のタイプのＤＭＲＳと基本ＤＭＲＳとの間には同数のＯＦＤＭシンボルが存在してもよい。
【００１３】
第１のタイプのＤＭＲＳは、基本ＤＭＲＳが送信されるＯＦＤＭシンボルに後続するＯＦＤＭシンボルを介して送信されてもよい。
【００１４】
第２のタイプのＤＭＲＳは、所定のＯＦＤＭシンボルにおいて均一な周波数間隔を有して送信されてもよい。
【００１５】
送信環境によって決定されるレベルは、ＲＳ密度情報としてシグナリングされてもよい。
【００１６】
ＲＳ密度は、ドップラー効果が強いほど、遅れ拡散が激しいほど、ＭＣＳレベルが高いほど、増加させてもよい。
【００１７】
さらに、所定のサブフレーム内のチャンネル変化を推定するためのＲＳを複数回繰り返して送信することを含んでもよい。
【００１８】
一方、本発明の別の一実施例によれば、無線通信システムにおいて、データ復調用参照信号(ＤＭＲＳ)を送信する装置であって、所定のサブフレームのデータ送信領域内の最初のＯＦＤＭシンボルを介して、基本ＤＭＲＳを送信して、送信環境によって決定されるレベルに応じて、所定のサブフレームで付加ＤＭＲＳを送信するように構成される送受信機と、送受信機の基本ＤＭＲＳ及び付加ＤＭＲＳ送信を制御するプロセッサーを含み、プロセッサーは、送信リンク、サブフレーム構造及び送信環境に関係なく、送受信機が所定のサブフレームのデータ送信領域内の最初のＯＦＤＭシンボルを介して基本ＤＭＲＳを送信するように制御する、ＤＭＲＳ送信装置を提案する。
【００１９】
プロセッサーは、所定のサブフレームのデータ送信領域が、下りリンクデータ送信領域から始まる場合と、上りリンクデータ送信領域から始まる場合とにおいて共通する共通データ送信領域内の最初のＯＦＤＭシンボルを介して、基本ＤＭＲＳを送信するように制御してもよい。
【００２０】
所定のサブフレームは、最初のＯＦＤＭシンボルを介して下りリンク制御チャンネルを送信して、最後のＯＦＤＭシンボルを介して上りリンク制御チャンネルを送信して、下りリンク制御チャンネル送信領域と上りリンク制御チャンネル送信領域との間にデータを送信する構造を有してもよい。
【００２１】
付加ＤＭＲＳは、１つのＯＦＤＭシンボルの全体ＲＥ(ｒｅｓｏｕｒｃｅ Ｅｌｅｍｅｎｔ)を用いる第１のタイプのＤＭＲＳ及び特定の時間領域において一部のＲＥを用いる第２のタイプのＤＭＲＳを含んでもよい。
【００２２】
プロセッサーは、送信環境によって決定されるレベルに応じて、所定のサブフレームで第１のタイプのＤＭＲＳが送信される回数を決定して、決定された回数に対応する数の第１のタイプのＤＭＲＳと基本ＤＭＲＳとの間には同数のＯＦＤＭシンボルが存在するように制御してもよい。
【発明の効果】
【００２３】
上述のような本発明によれば、様々な要求事項が存在する状況においても、効率性を失わず、ＤＭＲＳを送信することができる。
【００２４】
本発明で得られる効果は以上に言及した効果に制限されなく、以下の具体的な実施例においてさらに説明する。
【図面の簡単な説明】
【００２５】
【図１】ＴＤＤ無線フレームの構造を示す図である。
【図２】本発明の一実施例によるＮＲシステムのサブフレームの構造を示す図である。
【図３】本発明の一実施例によって、基本ＤＭＲＳ及び付加ＤＭＲＳを送信する方法を説明するための図である。
【図４】本発明の一実施例によって、基本ＤＭＲＳ及び付加ＤＭＲＳを送信する方法を説明するための図である。
【図５】本発明の一実施例によって、ＤＭＲＳ送信密度を調節する方式を説明するための図である。
【図６】本発明の一実施例によって、ＤＭＲＳ送信密度を調節する方式を説明するための図である。
【図７】本発明の一実施例によるＭｕｌｔｉ-ｓｈｏｔ Ｍｅａｓｕｒｅｍｅｎｔ ＲＳの概念を示す図である。
【図８】本発明の一実施例によって、制御情報とデータがＲＳを共有する方法を示す図である。
【図９】本発明の一実施例によって、ＤＭＲＳをＣＤＭ方式でＮ個のＲＥにスプレディングして、８個の直交コードを用いて送信する方法を説明するための図である。
【図１０】本発明の一実施例によって、ＦＤＭとＣＤＭとを組み合わせて用いる方法を説明するための図である。
【図１１】本発明の一実施例によって、ＦＤＭとＯＣＣとを組み合わせて用いる方法を説明するための図である。
【図１２】本発明の別の一実施例によって、ＦＤＭとＣＤＭとを組み合わせて用いる方法を説明するための図である。
【図１３】本発明の別の一実施例によって、ＦＤＭとＯＣＣとを組み合わせて用いる方法を説明するための図である。
【図１４】本発明の別の一実施例によって、ＦＤＭとＯＣＣとを組み合わせて用いる方法を説明するための図である。
【図１５】本発明の別の一実施例によって、ＦＤＭを用いて、ＡＰ当たり８ＲＥ間隔を説明する方法を示す図である。
【図１６】本発明の一実施例によって、ＦＤＭとＣＤＭを適用する方案を示す図である。
【図１７】上述したような動作を行うための装置を説明するための図である。
【発明を実施するための形態】
【００２６】
以下、本発明に係る好適な実施の形態を添付の図面を参照して詳しく説明する。添付の図面と共に以下に開示される詳細な説明は、本発明の例示的な実施の形態を説明するためのもので、本発明を実施できる唯一の実施の形態を示すためのものではない。
【００２７】
以下の詳細な説明は、本発明の完全な理解を提供するために具体的な細部事項を含む。しかし、このような具体的な細部事項無しにも本発明を実施可能であるということが当業者には理解できる。場合によって、本発明の概念が曖昧になることを避けるために、公知の構造及び装置が省略されることもあり、各構造及び装置の核心機能を中心にしたブロック図の形式で図示されることもある。
【００２８】
上述のように、本発明の一実施例によれば、無線通信システムにおいて、データ復調用参照信号(ＤＭＲＳ)を送信する方法を提案する。一実施例によれば、所定のサブフレームのデータ送信領域内の最初のＯＦＤＭシンボルを介して基本ＤＭＲＳを送信して、送信環境によって決定されるレベルに応じて、所定のサブフレームにおいて付加ＤＭＲＳを送信することを提案する。
【００２９】
ここで、基本ＤＭＲＳは送信リンク、サブフレーム構造及び送信環境に関係なく、所定のサブフレームのデータ送信領域内の最初のＯＦＤＭシンボルを介して送信することを特徴とする。このように、基本ＤＭＲＳを所定のサブフレームのデータ送信領域内の最初のＯＦＤＭシンボルを介して送信する理由は、Ｄａｔａ Ｅａｒｌｙ Ｄｅｃｏｄｉｎｇ、及びＩｎｔｅｒ−ｃｅｌｌ ｉｎｔｅｒｆｅｒｅｎｃｅの測定／除去を支援するためである。
【００３０】
上述のように、基本ＤＭＲＳは、Ｌｉｎｋ(すなわち、ＤＬ／ＵＬ／ＳＬ)、Ｎｕｍｅｒｏｌｏｇｙ(ｓｕｂｃａｒｒｉｅｒ ｓｐａｃｉｎｇ，ＯＦＤＭ ｓｙｍｂｏｌ ｄｕｒａｔｉｏｎ)、送信Ｌａｙｅｒ(Ｒａｎｋ １〜Ｎ)、Ｄｅｐｌｏｙｍｅｎｔ Ｓｃｅｎａｒｉｏ(Ｉｎｄｏｏｒ，Ｏｕｔｄｏｏｒ)、Ｖｅｌｏｃｉｔｙ(０〜５００ｋｍ／ｈ)、ＴＢＳ ｓｉｚｅなどとは関係なく、常に送信される参照信号をいう。ＮＲにおいて基本ＤＭＲＳは、サブフレームのデータ領域の前部に位置することと仮定する。ＮＲでは、データのＥａｒｌｙ ｄｅｃｏｄｉｎｇは、設計における重要なＲｅｑｕｉｒｅｍｅｎｔとなるが、ＤＭＲＳをデータ信号に先立って送ることは、Ｄａｔａ ｄｅｃｏｄｉｎｇのために必修に要求されるチャンネル推定情報を早く取得できるようにする。
【００３１】
基本ＤＭＲＳの位置において共に考慮すべき事項は、ＮＲで用いられるサブフレームの構造である。ＮＲシステムでは、Ｍａｓｓｉｖｅ ＭＩＭＯの導入によるパイロット汚染の問題のために、主にＴＤＤ方式が用いられることが予測されている。
【００３２】
図１は、ＴＤＤ無線フレーム構造を示す図である。
【００３３】
図１に示されたＴＤＤ無線フレームは、４Ｇ ＬＴＥシステムの無線フレーム構造であるが、以下に格別に言及しない限り、当該構造を用いてもよい。
【００３４】
ＬＴＥシステムのＴＤＤ無線フレームは、１０ｍｓの長さを有して、１０個のサブフレームを含む。よって、１個のサブフレームは１ｍｓの長さである。図１において、サブフレーム１及び６のようなＳｐｅｃｉａｌサブフレームは、ＤＬ／ＵＬ変換のためのサブフレームであって、ＤＬパイロット時間スロット(ＤｗＰＴＳ)は、３−１２ＯＦＤＭシンボルの長さを、ガード区間(ＧＰ)は、１〜１０ＯＦＤＭシンボルの長さを、ＵＬパイロット時間スロット(ＵｐＰＴＳ)は、１〜２ＯＦＤＭシンボルの長さを有する。
【００３５】
図１に示された４Ｇ ＬＴＥ無線フレーム構造において、１ＴＴＩは１ｍｓの長さであって、１サブフレームに対応する。
【００３６】
図２は、本発明の一実施例によるＮＲシステムのサブフレームの構造を示す図である。
【００３７】
５Ｇ移動通信システムにおいて、ＴＤＤ方式で通信が行われる場合、図２のように、下りリンク専用区間、上り又は下りリンク可変区間及び上りリンク専用区間を順次に含むサブフレーム構造を用いることを提案する。これは、ある一方向のリンクに送信した信号に対する応答が遅れ過ぎることを防止することができ、またシステム状況に応じて可変区間を設定してＦｌｅｘｉｂｌｅな通信が行えるというメリットを有する。
【００３８】
図２に示されたようなサブフレーム構造を自己包含フレーム構造(ｓｅｌｆ−ｃｏｎｔａｉｎｅｄ ｆｒａｍｅ ｓｔｒｕｃｔｕｒｅ)と称してもよく、このような自己包含フレーム構造において、下りリンク専用区間は下りリンク制御チャンネル情報送信に用いて、可変区間はデータチャンネル送信に用いて、上りリンク専用区間は上りリンク制御チャンネル送信に用いることができる。
【００３９】
基本ＤＭＲＳの位置において共に考慮すべき事項は、ＮＲにおいてｆｒａｍｅ ｓｔｒｕｃｔｕｒｅは、ＤＬ/ＵＬ/ＳＬが共通して使用することを目的として設計され、隣接セル又は隣接ｌｉｎｋから入る干渉信号のチャンネルを推定するためには、ＤＬ/ＵＬ/ＳＬのＤＭＲＳの位置をサブフレーム内に一致させる。
【００４０】
図３及び図４は、本発明の一実施例によって、基本ＤＭＲＳ及び付加ＤＭＲＳを送信する方法を説明するための図である。
【００４１】
図３及び図４に示されたように、ＮＲで考慮するサブフレーム構造において、ＤＬデータ領域とＵＬデータ領域の開始点は、ＤＬ制御領域の長さ及びガード区間の存否によって異なってもよい。
【００４２】
例えば、制御チャンネルが送信される１番目のＯＦＤＭシンボルに次いでＤＬデータが送信される場合、２番目のＯＦＤＭシンボルからデータ領域が始まってもよく、制御チャンネルが送信される１番目のＯＦＤＭシンボルに次いでＵＬデータが送信される場合は、２番目のＯＦＤＭシンボルがガード区間として用いられ、３番目のＯＦＤＭシンボルからデータが始まってもよい。
【００４３】
このように、ＤＬデータとＵＬデータとの開始点は異なってもよいため、基本ＤＭＲＳは、ＤＬデータ領域とＵＬデータ領域とにおいて共通してデータ送信に用いられるＯＦＤＭシンボルのうち、１番目のシンボルに配置した方が好ましく、図３は、上述した原理によって、基本ＤＭＲＳが３番目のＯＦＤＭシンボルから送信されることを示している。
【００４４】
一方、制御領域のＯＦＤＭシンボルの長さと、データ領域のＯＦＤＭシンボルの長さとが異なってもよいが、この場合も、上述した例と同様に、ＤＬ制御とガードタイムが占めるＯＦＤＭシンボル以後に、ＤＬデータ領域とＵＬデータ領域とにおいて、共通してデータ送信のために用いられるＯＦＤＭシンボルのうちの１番目のＯＦＤＭシンボルに基本ＤＭＲＳを配置してもよい。例えば、図４では、ＤＬ制御とガードタイムとが１番目のＯＦＤＭシンボルで構成される場合を示し、この場合、基本ＤＭＲＳは２番目のＯＦＤＭシンボルから送信されてもよい。
【００４５】
付加ＤＭＲＳは、データ領域の特定の位置に配置してもよく、以下の２つのタイプに分けられる。
【００４６】
(１) Ｔｙｐｅ−１ 付加ＤＭＲＳ：ＲＥ(Ｒｅｓｏｕｒｃｅ Ｅｌｅｍｅｎｔ)のうち、一部を使用するＤＭＲＳを意味する。
【００４７】
(２) Ｔｙｐｅ−２ 付加ＤＭＲＳ：一つのＯＦＤＭシンボル全てが用いられるＤＭＲＳを意味する。
【００４８】
ＯＦＤＭシンボル単位で付加ＤＭＲＳが用いられる場合(タイプ２ ＤＭＲＳが用いられる場合)、付加ＤＭＲＳの位置は、基本ＤＭＲＳとして用いられるＯＦＤＭシンボル以後にあるＯＦＤＭシンボルの数と、付加ＤＭＲＳとして用いられるＯＦＤＭシンボル以後にあるＯＦＤＭシンボルの数とが互いに同一又は類似の箇所に配置してもよい。例えば、図３のように、データ領域に１２個のＯＦＤＭシンボルがあり、基本ＤＭＲＳは２番目のＯＦＤＭシンボルに位置する場合、付加ＤＭＲＳは、７番目のＯＦＤＭシンボルに配置してもよい。別の例として、データ領域に１２個のＯＦＤＭシンボルがあり、基本ＤＭＲＳと２個の付加ＤＭＲＳがある場合、１−５−９番目のＯＦＤＭシンボルのそれぞれに基本ＤＭＲＳと付加ＤＭＲＳを配置させると、各ＤＭＲＳ以後にあるＯＦＤＭシンボルの数は類似のレベルになる。これは、ＤＭＲＳがチャンネル推定変化を良好に反映できるようにするメリットがある。
【００４９】
一方、上述した実施例とは異なり、本発明の別の一実施例では、ＯＦＤＭシンボル単位で付加ＤＭＲＳが用いられる場合(タイプ２ ＤＭＲＳを用いる場合)、付加ＤＭＲＳの位置は、基本ＤＭＲＳとして用いられるＯＦＤＭシンボルと連続したＯＦＤＭシンボルに配置されてもよい。例えば、基本ＤＭＲＳが２番目のＯＦＤＭシンボルに位置する場合、付加ＤＭＲＳは３番目のＯＦＤＭシンボルに配置されてもよい。これは、多重アンテナ送信において、アンテナポートの数を拡張するか、又は同時に送信されるユーザを拡張するための目的で、ＤＭＲＳのリソースを増加させるというメリットがある。
【００５０】
付加ＤＭＲＳは追加されるＤＭＲＳのＲＥの数によってレベルで区分して、送信環境によって追加されるＤＭＲＳのＲＥの数、すなわち、付加ＤＭＲＳレベルが調整できるようにする。多重付加ＤＭＲＳレベルのうち、１つは基本ＲＳのみ送信されるようにした方が好ましい。すなわち、付加ＤＭＲＳレベル０が基本ＲＳのみ送信される場合に該当する。
【００５１】
ＲＥ単位の付加ＤＭＲＳ(タイプ１ ＤＭＲＳ)は、リソースブロック内において、図３及び図４のように、均等な間隔で配置されてもよい。ＲＥ単位の付加ＤＭＲＳは、基本ＤＭＲＳに定義されたＡＰ(Ａｎｔｅｎｎａ Ｐｏｒｔ)と同数のＡＰが定義されるのが一般であるが、ＲＥ単位の付加ＤＭＲＳを用いてＯＦＤＭ シンボルの間に位相変化量を測定する目的、及び全てのＡＰにおいて変化量が類似する場合のように、特別な用途として基本ＤＭＲＳに定義されたＡＰよりも少ない数のＡＰの付加ＤＭＲＳのみを定義してもよい。
【００５２】
ここで、基本ＤＭＲＳは、Ｆｕｎｄａｍｅｎｔａｌ ＤＭＲＳ、 主な(ｐｒｉｍａｒｙ)ＤＭＲＳなどと呼んでもよく、付加ＤＭＲＳは、Ｈｉｇｈ ｑｕａｌｉｔｙ ＲＳ、Ｈｉｇｈ ｐｅｒｆｏｒｍａｎｃｅ ＲＳ、Ｓｕｐｐｌｅｍｅｎｔａｌ ＤＭ−ＲＳ、Ｓｅｃｏｎｄａｒｙ ＤＭ−ＲＳ、Ａｄｄ−ｏｎ ＤＭＲＳなどと呼んでもよい。また、データ／制御情報の復調のために使用可能なＲＳとして、ＤＭＲＳ以外の用語で呼んでもよい。
【００５３】
ＤＭＲＳのＤｅｎｓｉｔｙを可変させる方法
【００５４】
ＤＭＲＳのＤｅｎｓｉｔｙを可変させる方法であって、従来のＲＳを保持して、付加ＲＳをｏｎ−ｄｅｍａｎｄに応じて追加する方式がある。例えば、かかる付加ＲＳは、Ｄｏｐｐｌｅｒが激しくなる場合、又はＤｅｌａｙ ｓｐｒｅａｄが激しくなる場合、又はＭＣＳレベルに応じてＨｉｇｈ ＭＣＳの場合にＲＳを追加してもよい。
【００５５】
ＤＭＲＳのＤｅｎｓｉｔｙを可変させる方法として、受信端のｃａｐａｂｉｌｉｔｙに応じてＤｅｎｓｉｔｙ可変を許容するユーザには、ｏｎ−ｄｅｍａｎｄでＲＳを増加又は減少させて送信する可変性を設けてもよい。例えば、Ａｎａｌｏｇ ｂｅａｍｆｏｒｍｉｎｇの可能な受信端である場合、Ｏｍｎｉ ｄｉｒｅｃｔｉｏｎ ｒｅｃｅｐｔｉｏｎを仮定したＲＳ送信に対して、ｏｎ−ｄｅｍａｎｄでＲＳを減少して送ることを要請する方式である。
【００５６】
ページング、ランダムアクセス応答、システム情報などを送るチャンネルではＲＳのｄｅｎｓｉｔｙを固定して、特定のＵＥに情報を送信するチャンネルではＲＳ ｄｅｎｓｉｔｙ可変を適用してもよい。
【００５７】
チャンネルデコーティングのためのｇｒａｎｔ ｍｅｓｓａｇｅのうち、ＲＳ ｄｅｎｓｉｔｙ 制御情報を定義してもよい。すなわち、現在送信されたチャンネルで用いられたＲＳ ｄｅｎｓｉｔｙに関する情報(Ｄｅｆａｕｌｔ ｄｅｎｓｉｔｙ使用、Ｄｅｎｓｉｔｙ増加、Ｄｅｎｓｉｔｙ減少)を以下のような形態で提供することができる。
【００５８】
− 送信するチャンネルで用いられるＲＳ ｄｅｎｓｉｔｙに関する情報(Ｄｅｆａｕｌｔ、Ｄｅｎｓｉｔｙ増／減)
【００５９】
− 付加ＤＭＲＳレベル情報
【００６０】
− 付加ＤＭＲＳタイプ情報
【００６１】
− チャンネルの変化量報告トリガリングメッセージ
【００６２】
ＵＥのｓｈｏｒｔ ｔｅｒｍ ｍｅａｓｕｒｅｍｅｎｔ(ＣＳＩ−ＲＳ)が行われた後、ＣＳＩ報告と共に(時間及び周波数の)チャンネル変化量を報告してもよい。チャンネル変化量報告は、ＲＳ ｄｅｎｓｉｔｙを可変するか否かを決定する指標になり得る。また、ＲＳ ｄｅｎｓｉｔｙ可変要請メッセージを報告してもよい。
【００６３】
ＵＥのＣＳＩ(ＲＩ/ＰＭＩ/ＣＱＩ)報告時に、選好する付加ＤＭＲＳレベル情報を報告するようにしてもよい。かかる選考する付加ＤＭＲＳレベルは、報告されるＣＱＩに該当するＭＣＳのＰＤＳＣＨを受信するとき、最適なｔｈｒｏｕｇｈｐｕｔが得られるようにする付加ＤＭＲＳレベルに該当する。ＵＥは、ＣＳＩを計算するとき、付加ＤＭＲＳのレベルに応じて追加されるＤＭ−ＲＳ ＲＥ ｏｖｅｒｈｅａｄを反映するようにしてもよい。
【００６４】
送信レイヤーが増加する場合、従来のＲＳに付加ＲＳを追加してもよい。
【００６５】
Ｃｏｍｍｏｎ ｃｏｎｔｒｏｌ ｃｈａｎｎｅｌ又はｃｏｍｍｏｎ ｃｏｎｔｒｏｌ ｍｅｓｓａｇｅで指示されたデータ領域では、基本ＤＭＲＳと共に付加ＤＭＲＳが配置されることを基本とした方が好ましい。
【００６６】
ＵＥ ｓｐｅｃｉｆｉｃ ｃｏｎｔｒｏｌ ｃｈａｎｎｅｌ又はＵＥ ｓｐｅｃｉｆｉｃ ｃｏｎｔｒｏｌ ｍｅｓｓａｇｅでデータが指示されるときは、サブフレーム内にＤＭＲＳ ｄｅｎｓｉｔｙを可変的に運用する。そのために、制御メッセージにＤＭＲＳ関連指示子を設定してもよい。ＰＤＳＣＨ、ＰＵＳＣＨに対するＤＭＲＳ ｄｅｎｓｉｔｙを指示する。(例え、ＤＣＩ、Ｆｏｒｍａｔ別、ＲＲＣ)
【００６７】
Ａｎａｌｏｇ Ｒｘ ｂｅａｍｆｏｒｍｉｎｇを行う端末は、ＤＭＲＳ ｄｅｎｓｉｔｙ変更を要請してもよい。
【００６８】
図５及び図６は、本発明の一実施例によって、ＤＭＲＳ送信密度を調節する方式を説明するための図である。
【００６９】
具体的に、図５は、ＤＬデータ送信のためのＤＭＲＳ送信構造を説明するための図であり、図６は、ＤＬデータ送信のためのＤＭＲＳ送信構造を説明するための図である。
【００７０】
図５及び図６のように、Ｔｙｐｅ−２付加ＤＭＲＳをＯｖｅｒｈｅａｄによってＬｅｖｅｌ ０とＬｅｖｅｌ １とに区分して、各Ｌｅｖｅｌによって使われる例を示している。本例では、Ｔｙｐｅ−２ 付加ＤＭＲＳのｌｅｖｅｌによってもＵＬ及びＤＬ送信領域のＤＭＲＳ ｐｏｓｉｔｉｏｎを一致させることを特徴とする。すなわち、各レベルに応じて、付加ＤＭＲＳを送信する位置が、ＤＬデータ送信の場合と、ＵＬデータ送信の場合とを異ならせず、ＤＬ/ＵＬデータ送信とは関係なく、同じ位置で基本／付加ＤＭＲＳを送信した方が好ましい。
【００７１】
Ｌｅｖｅｌ １はＬｅｖｅｌ ０に比べてｏｖｅｒｈｅａｄを増加させる場合であって、Ｈｉｇｈｅｒ ｒａｎｋ送信又はｌｏｗｅｒ ｒａｎｋ送信の際、チャンネル推定性能を向上させるために適用することができ、Ｌｅｖｅｌ ０は低いＲＳ ｏｖｅｒｈｅａｄを有するＬｏｗｅｒ Ｒａｎｋ送信をターゲットにする。
【００７２】
別の例として、図５及び図６において、Ａ. Ｌｅｖｅｌ １(Ｈｉｇｈｅｒ Ｒａｎｋ)は、ｌｏｗｅｒ ｒａｎｋ送信時にチャンネル推定性能を向上させるために使用することができ、Ｂ. Ｌｅｖｅｌ １ (Ｌｏｗｅｒ Ｒａｎｋ)のような場合は、Ｈｉｇｈｅｒ ｒａｎｋのためのパターンとして活用することができる。
【００７３】
図５及び図６は、例示的に示したＦｒａｍｅ ｓｔｒｕｃｔｕｒｅであり、本例において、ＤＬ ｃｏｎｔｒｏｌ領域では、２つのＯＦＤＭ シンボルが用いられる場合を仮定している。ＤＬ ｃｏｎｔｒｏｌとして使用しない領域では、ＤＬデータ送信又はガードタイムを経てＤＬデータ送信が可能である。
【００７４】
チャンネル推定向上のための補間(ｉｎｔｅｒｐｏｌａｔｉｏｎ)可能なレベル指定
【００７５】
本発明の一実施例では、Ｍｕｌｔｉ−ｌｅｖｅｌで送信されるＤＭＲＳにＱＣＬ ｃｏｎｄｉｔｉｏｎを仮定してもよい。例えば、ｓｉｎｇｌｅ ｓｕｂｆｒａｍｅ内に送信される複数のＤＭＲＳの間にＱＣＬを仮定する場合、各ＤＭＲＳから推定されたチャンネルをｉｎｔｅｒｐｏｌａｔｉｏｎに活用することができる。Ｍｕｌｔｉ−ｓｕｂｆｒａｍｅでＱＣＬ ｃｏｎｄｉｔｉｏｎを仮定する場合、Ｍｕｌｔｉ−ｓｕｂｆｒａｍｅ ｌｅｖｅｌでｉｎｔｅｒｐｏｌａｔｉｏｎが可能である。Ｓｕｂｆｒａｍｅ内にｍｉｎｉ−ｓｕｂｆｒａｍｅが定義され、各ｍｉｎｉ−ｓｕｂｆｒａｍｅでＤＭＲＳを送信するとき、ｍｉｎｉ−ｓｕｂｆｒａｍｅ ｌｅｖｅｌのＱＣＬが仮定される場合、ｍｉｎｉ−ｓｕｂｆｒａｍｅ間にｉｎｔｅｒｐｏｌａｔｉｏｎが可能である。
【００７６】
ＱＣＬ ｃｏｎｄｉｔｉｏｎはｓｕｂｆｒａｍｅ ｇｒｏｕｐ又はｍｕｌｔｉ−ｓｕｂｆｒａｍｅ ｇｒｏｕｐなどの表現でｉｎｔｅｒｐｏｌａｔｉｏｎ可能な時間領域リソース単位を表示してもよい。
【００７７】
チャンネル状態変化測定のための参照信号構造
【００７８】
従来のＬＴＥのように、一定のＯＦＤＭ シンボル間隔で周期的に送信されるＣＲＳ、又はサブフレーム単位で周期的に送信されるＣＳＩ−ＲＳを用いる場合、チャンネルの時変特性を測定することができる。一方、ＮＲでは、ＣＲＳのように、いくつかのＯＦＤＭシンボル単位で送信されるｓｉｎｇｌｅ−ｂｅａｍｆｏｒｍｅｄ(時間単位、周波数単位でｂｅａｍの変化のない)ＲＳが定義されない。
【００７９】
ＤＬ/ＵＬがＤｙｎａｍｉｃに変更されることと、送信ｂｅａｍがＯＦＤＭシンボル単位及びサブフレーム単位でＤｙｎａｍｉｃに変更されることを支援するフレーム構造を目指すため、サブフレーム単位のＰｅｒｉｏｄｉｃ ＣＳＩ−ＲＳ送信が難しくなり、Ｐｅｒｉｏｄｉｃ ＣＳＩ−ＲＳの使用を期待するのは難しい。また、ｏｎｅ ｓｈｏｔ送信ではＤｏｐｐｌｅｒ測定が難しい。
【００８０】
周期的に送信されるｂｅａｍ測定ＲＳが導入されても、当該ＲＳが相当短い周期で送信されない限り、Ｂｅａｍ測定ＲＳを用いたチャンネル時変特性の変化量の測定は難しくなる。
【００８１】
よって、ＮＲのチャンネル測定参照信号(例え、ＣＳＩ−ＲＳ、ＳＲＳなど)は、チャンネル時変状態変化測定に適合するように設計される必要がある。
【００８２】
チャンネル状態変化量が測定可能な信号構造は以下のようである。
【００８３】
図７は、本発明の一実施例によるＭｕｌｔｉ−ｓｈｏｔ Ｍｅａｓｕｒｅｍｅｎｔ ＲＳの概念を示す図である。
【００８４】
Ｂｅａｍｆｏｒｍｉｎｇに変化のないｍｕｌｔｉ−ｓｈｏｔ ＣＳＩ−ＲＳ又はｍｕｌｔｉ−ｓｈｏｔ ＳＲＳを図７のように送信してもよい。これは、サブフレーム内においてｍｕｌｔｉ−ｓｈｏｔ、隣接したサブフレーム又はいくつかのサブフレーム単位で送信されるｍｕｌｔｉ−ｓｈｏｔ)にかけて送信してもよい。Ｂｅａｍｆｏｒｍｉｎｇ係数に変化がないことを前提とするメッセージ(例え、Ｎ−ｓｕｂｆｒａｍｅ ｇｒｏｕｐ)を定義してもよい。また、 単一ＯＦＤＭシンボルで繰り返し送信される構造を考慮してもよい。
【００８５】
基地局は、ＤＣＩを通じて、ａｐｅｒｉｏｄｉｃ ＣＳＩ−ＲＳ ｔｒａｎｓｍｉｓｓｉｏｎ/ＣＳＩ ｍｅａｓｕｒｅｍｅｎｔ/ＣＳＩ ｒｅｐｏｒｔｉｎｇ ｔｒｉｇｇｅｒｉｎｇを行うとき、当該ＣＳＩ−ＲＳがｓｉｎｇｌｅ ｓｈｏｔ ＣＳＩ−ＲＳであるか、ｍｕｌｔｉ−ｓｈｏｔ ＣＳＩ−ＲＳであるかを通知する。基地局がｍｕｌｔｉ−ｓｈｏｔ ＣＳＩ−ＲＳを送信した場合、端末機は、チャンネル変化量報告又は選好する付加ＤＭＲＳレベル報告を行う。
【００８６】
基地局は、ＤＣＩを通じて、ａｐｅｒｉｏｄｉｃ ＳＲＳ ｔｒａｎｓｍｉｓｓｉｏｎ ｔｒｉｇｇｅｒｉｎｇを行うとき、当該ＳＲＳをｓｉｎｇｌｅ ｓｈｏｔ ＳＲＳで送信するか、又はｍｕｌｔｉ−ｓｈｏｔ ＳＲＳで送信するかを通知する。または、ＳＲＳを同一のｐｒｅｃｏｄｉｎｇ方式で何回連続して送信するかを通知する。
【００８７】
さらに、効率的な干渉測定のために、干渉特定のためのリソースであるＣＳＩ−ＩＭ(Ｉｎｔｅｒｆｅｒｅｎｃｅ Ｍｅａｓｕｒｅｍｅｎｔ)リソースをｍｕｌｔｉ−ｓｈｏｔで設定できるようにする。このｍｕｌｔｉ−ｓｈｏｔ ＣＳＩ−ＩＭリソースは、ｍｕｌｔｉ−ｓｈｏｔ ＣＳＩ−ＲＳリソースと１：１でマッチングされて定義されてもよい。すなわち、基地局は、ＤＣＩを通じてＣＳＩ−ＲＳとＣＳＩ−ＩＭリソースの回数を共に指定してもよい。一方、基地局は、ＤＣＩを通じてＣＳＩ−ＲＳとＣＳＩ−ＩＭリソースの回数を個別に指定する方式を用いてもよい。
【００８８】
一方、本発明の別の一側面では、可変的なＲＳ構造を提供するための方案の１つであって、制御チャンネルとデータチャンネルとがＲＳを共有する方案を説明する。
【００８９】
制御チャンネルとデータチャンネルとでＲＳを共有する方案
【００９０】
上述のように、ＮＲシステムにおいて、下りリンク制御チャンネルと下り／上りリンクデータチャンネルがＴＤＭされることを考慮している。基本的に、制御チャンネルには、これをｄｅｍｏｄｕｌａｔｉｏｎするためのＲＳが定義され、データチャンネルをｄｅｍｏｄｕｌａｔｉｏｎするためのＤＭＲＳがそれぞれ定義されてもよい。それぞれのチャンネルのためにＲＳを定義する場合、ＲＳ ｏｖｅｒｈｅａｄが非常に大きくなる問題が生じる。
【００９１】
ＲＳ ｏｖｅｒｈｅａｄを減らすための方案として、制御チャンネルＲＳ又はデータＤＭＲＳが制御チャンネルとデータチャンネルとで共有される方案が考慮されるが、本発明の一実施例では、このようなＲＳ共有が常に利得となるわけではないことに着目する。例えば、制御チャンネルのＲＳは、制限された数のアンテナポートが定義されるが、これをデータチャンネルに適用する場合、データチャンネルの最大送信ランクを制限して、結果として、ｃａｐａｃｉｔｙを制限する要素となり得る。また、制御チャンネルのＲＳは、ＵＥ ｓｐｅｃｉｆｉｃ ＲＳであってもよいが、ｎｏｎ−ＵＥ ｓｐｅｃｉｆｉｃ ＲＳであってもよい。Ｎｏｎ−ＵＥ ｓｐｅｃｉｆｉｃ ＲＳで送信される場合、特定のユーザにｂｅａｍｆｏｒｍｉｎｇされるのは難しくなり、ｂｅａｍ ｇａｉｎを期待することは難しい。
【００９２】
よって、本発明の一実施例では、所定の条件を満たす場合に限って、上述のようなＲＳ共有を許容することができる。例えば、
【００９３】
１．高くないデータレートを要求する情報を送信するユーザ
【００９４】
２．端末特定空間チャンネル情報を取得しない状況、或いは取得した空間チャンネル情報が有効ではない状況
【００９５】
３．高速移動環境のようなｏｐｅｎ−ｌｏｏｐ送信が有利なユーザなど
【００９６】
がこの条件に含まれる。
【００９７】
すなわち、本実施例では、制御チャンネルに定義されたＲＳをデータチャンネルが共有することを提案して、このとき、制御チャンネルのＲＳは、ＵＥ ｇｒｏｕｐ ｓｐｅｃｉｆｉｃと仮定することができる。このとき、データの送信レイヤーの数は、上述のように、制御チャンネルＲＳに制限されてもよい。また、ＵＥ ｓｐｅｃｉｆｉｃ ｂｅａｍｆｏｒｍｉｎｇを期待することは難しい。
【００９８】
上述のように、ＲＳを共有する場合、ＤＭＲＳ領域のＲＳは使用しなくてもよい。この領域は、さらにデータ送信に活用してみてもよい。別の実施例では、制御チャンネルＲＳを共有するデータ領域にさらにＲＳを配置してもよい。
【００９９】
このように、追加(付加)ＲＳを用いる場合のメリットは、１つのＯＦＤＭシンボルＤＭＲＳ対比ＲＳ ｏｖｅｒｈｅａｄを大きくせず、Ｂａｓｉｃ ｔｒａｎｓｍｉｓｓｉｏｎ(又は、ｆａｌｌｂａｃｋ ｓｃｈｅｍｅ)を用いる場合に適合する。この方式は、上述した基本ＤＭＲＳ／付加ＤＭＲＳ方式と類似する方式とみられる。
【０１００】
図８は、本発明の一実施例によって制御情報とデータがＲＳを共有する方法を示す図である。
【０１０１】
図８において、ＲＢ ８１０は、上述のようなＲＳ共有を行うＲＢを示し、ＲＢ ８２０及びＲＢ ８３０はＲＳ共有を用いていない一般ＲＢを示す。
【０１０２】
制御チャンネルのＲＳをデータチャンネルで共有して使用するユーザ又はユーザグループのためのデータチャンネル区間では、制御チャンネルＲＳと類似又は同一のＲＳがさらに送信された方が好ましい。すなわち、図８では、制御チャンネルにおけるＲＳと同じパターンのＲＳを送信することを示している。
【０１０３】
このような構造は、指示(ｉｎｄｉｃａｔｉｏｎ)されて動作してもよく、そのために制御信号のコンテンツに指示子(ｉｎｄｉｃａｔｏｒ)が定義されてもよい。
【０１０４】
又は、制御チャンネルＲＳをデータチャンネルと共有して使用するユーザ又はユーザグループのためのデータチャンネル区間では、常に制御チャンネルＲＳがさらに送信されるようにしてもよい。
【０１０５】
基地局は、端末に使用すべきＲＳを指示することが望ましい。例えば、制御チャンネルに定義されたＲＳを使用するか、ＤＭＲＳ領域に定義されたＲＳを使用するかが指示されてもよい。
【０１０６】
又は、端末に送信される共有チャンネルの属性に応じて、使用するＲＳが決定されてもよい。例えば、システム情報或いはランダムアクセス応答などを送るＤＣＩのＲＮＴＩと連係して、当該ＲＮＴＩで検出されたＤＣＩが指示したデータチャンネルでは制御チャンネルのＲＳを共有してもよい。
【０１０７】
上述に基づいて、以下では、具体的なＮＲ ＤＭＲＳの送信構造を説明する。
【０１０８】
本発明の一実施例において、ＮＲ ＤＭＲＳは、単一ＯＦＤＭシンボルに対して最大Ｎ(＝８)個のアンテナポート(ＡＰ)を送信できるようにリソースを割り当て、ＡＰ間ｍｕｌｔｉｐｌｅｘｉｎｇはＦＤＭ−ＣＤＭ方式で行われてもよい。ＡＰ当たりＲＥは、単位リソースブロックにおいて２或いは３ＲＥリソースを有して、ＲＢ当たり最大２Ｎ(＝１６)個のＲＥ或いは３Ｎ(＝２４)個のＲＥを有することを提案する。レイヤーの数に応じて、ＡＰ当たりＥｆｆｅｃｔｉｖｅ ＲＥの数に差をつけて割り当ててもよい。
【０１０９】
Ｄｅｓｉｇｎ Ｃｒｉｔｅｒｉａ
【０１１０】
ＮＲシステムにおいて求める最大のＳｐｅｃｔｒａｌ Ｅｆｆｉｃｉｅｎｃｙは、３０ｂｐｓ/Ｈｚ(ＤＬ)、１５ｂｐｓ/Ｈｚ(ＵＬ)であって、これは３ＧＰＰ ＬＴＥ−ＡのＳｐｅｃｔｒａｌ Ｅｆｆｉｃｉｅｎｃｙと同等な値である。ＬＴＥ−Ａでは、Ｍｏｄｕｌａｔｉｏｎは６４ＱＡＭ、送信レイヤー数は８(ＤＬ)、４(ＵＬ)、Ｒｅｑｕｉｒｅｍｅｎｔ ３０ｂｐｓ/Ｈｚ(ＤＬ)、１５ｂｐｓ/Ｈｚ(ＵＬ)を達成した。同様に、ＮＲシステムにおいて、Ｓｐｅｃｔｒａｌ Ｅｆｆｉｃｉｅｎｃｙ Ｒｅｑｕｉｒｅｍｅｎｔを考慮すれば、送信レイヤーは最大８個(ＤＬ)、４個(ＵＬ)が望ましい。基地局のアンテナが増加するにつれて、アンテナポートの数を増やすことができ、基地局が送信可能な最大のレイヤーは１６と仮定する。また、上りリンクにおいて基地局が受信可能な最大のレイヤーも１６と仮定する。
【０１１１】
＊ Ｐｏｉｎｔ−ｔｏ−Ｐｏｉｎｔ送信レイヤー数の仮定
【０１１２】
− ＳＵ送信：最大８(ＤＬ)、最大４(ＵＬ) 
【０１１３】
− ＭＵ送信：最大４(ＤＬ)、最大４(ＵＬ)
【０１１４】
＊ 基地局送信／受信の最大レイヤー数の仮定
【０１１５】
− 最大１６(ＤＬ)、８(ＵＬ)
【０１１６】
本設計において、ＮＲ ＤＭＲＳは、以下のような仮定下で設計される。
【０１１７】
− ＵＥ当たり最大８アンテナポートを支援
【０１１８】
− 同時送信可能な最大１６アンテナポートを支援 
【０１１９】
− １つのＯＦＤＭシンボルに最大８ＡＰを区分するようにリソース設定 
【０１２０】
− アンテナポート(ＡＰ)当たり最小２ＲＥ或いは３ＲＥ Ｅｎｅｒｇｙを有する 
【０１２１】
これは、８ＡＰのために１６ＲＥが使用される場合、ＡＰ当たり２ＲＥが使用され、２４ＲＥが使用される場合、ＡＰ当たり３ＲＥが使用されることを意味する。本設計においてリソースブロックは、８の倍数である１６ＲＥ或いは２４ＲＥと構成することを仮定する。
【０１２２】
単一ＯＦＤＭシンボルへのＭｕｌｔｉｐｌｅｘｉｎｇ方法
【０１２３】
１つのＯＦＤＭシンボルに複数のＡＰをＭｕｌｔｉｐｌｅｘｉｎｇする方法には、ＡＰ当たり互いに異なる周波数リソースを用いるＦＤＭ方法と、同じリソースにコードリソースを分離して使用するＣＤＭ方法とがある。
【０１２４】
図９は、本発明の一実施例によって、ＤＭＲＳをＣＤＭ方式でＮ個のＲＥにスプレディングし、８個の直交コードを用いて送信する方法を説明するための図である。
【０１２５】
すなわち、Ｎ個のＲＥに直交コードを用いる例であって、割り当てられた帯域で用いる長さＮのｓｃｒａｍｂｌｉｎｇ ｓｅｑｕｅｎｃｅ(例え、ＰＮ ｓｅｑｕｅｎｃｅ、ＣＡＺＡＣなど)を全てのＡＰが共有して、長さＮの直交ｓｅｑｕｅｎｃｅ(例え、ＤＦＴ、Ｈａｄａｍａｒｄ)８個をＡＰに割り当てる方式である。
【０１２６】
図１０は、本発明の一実施例によって、ＦＤＭとＣＤＭとを組み合わせて用いる方法を説明するための図である。
【０１２７】
図１０もまた、Ｎ個のＲＥに周波数リソースと直交コードを用いる例であって、Ｎ個のＲＥをＥｖｅｎとＯｄｄ ｎｕｍｂｅｒによってＮ／２個ずつ分けて、各グループでは４個のＡＰを区分するための直交コードを用いる方式である。割り当てられた帯域において用いる長さＮのｓｃｒａｍｂｌｉｎｇ ｓｅｑｕｅｎｃｅ(例え、ＰＮ ｓｅｑｕｅｎｃｅ、ＣＡＺＡＣなど)でｅｖｅｎとｏｄｄ ｎｕｍｂｅｒ ｉｎｄｅｘで２個のｓｕｂｓｅｔ ｓｅｑｕｅｎｃｅを用いて、各ｓｕｂｓｅｔ ｓｅｑｕｅｎｃｅはＡＰが共有する。長さＮ／２の直交Ｓｅｑｕｅｎｃｅ(例え、ＤＦＴ、Ｈａｄａｍａｒｄ)４個をＡＰに割り当てる。
【０１２８】
割り当てられた帯域において用いる長さＮ／２のｓｃｒａｍｂｌｉｎｇ ｓｅｑｕｅｎｃｅを２個の周波数リソースで同様に用いて、長さＮ／２の直交ｓｅｑｕｅｎｃｅ４個をＡＰに割り当てる。
【０１２９】
図１１は、本発明の一実施例によって、ＦＤＭとＯＣＣとを組み合わせて用いる方法を説明するための図である。
【０１３０】
すなわち、Ｎ個のＲＥに周波数リソースと直交コードを用いる例であって、４個の連続する周波数リソース束を生成して、周波数リソース束では、直交コードリソース４個が４個のＡＰに割り当てられる。隣接する４個のＲＥにおいてさらに１つの周波数リソース束を生成して、直交コードリソース４個は、他の４個のＡＰに割り当てる。ＲＢ当たりＮ個のＲＥを用いる場合、全Ｎ／４個の４連続の周波数を有するリソース束が生成され、４ＲＥ間隔に離れているリソース束を４個のＡＰが用いる。当該ＲＢに定義された長さＮ／４のＳｃｒａｍｂｌｉｎｇ ｓｅｑｕｅｎｃｅは、Ｎ／４個の周波数束でそれぞれ用いられる。
【０１３１】
図１２は、本発明の別の一実施例によって、ＦＤＭとＣＤＭとを組み合わせて用いる方法を説明するための図である。
【０１３２】
４ＲＥ間隔のリソースを周波数束として、全４個の周波数リソース束を生成して、４個の周波数リソース束では、それぞれ２個のＡＰを直交リソースと区分する。
【０１３３】
当該ＲＢに定義された長さＮのＳｃｒａｍｂｌｉｎｇ ｓｅｑｕｅｎｃｅはＲＥごとにマッピングされ、周波数リソース束の間には互いに異なるｓｃｒａｍｂｌｉｎｇ ｓｅｑｕｅｎｃｅがマッピングされてもよい。２つの直交リソースとしてはＯＣＣ−２ ([＋１ ＋１], [＋１ −１])が用いられてもよい。
【０１３４】
当該ＲＢに定義された長さＮ／４のｓｃｒａｍｂｌｉｎｇシーケンスは、周波数リソー束に属するＲＥにマッピングされ、周波数リソース束は互いに同一のｓｃｒａｍｂｌｉｎｇ ｓｅｑｕｅｎｃｅをｂａｓｅ ｓｅｑｕｅｎｃｅとして用いてもよい。周波数リソース束の間に特別なｏｆｆｓｅｔ ｓｅｑｕｅｎｃｅを導入してもよい。２つの直交リソースとしてはＯＣＣ−２ ([＋１ ＋１], [＋１ −１])が用いられてもよい。
【０１３５】
図１３及び図１４は、本発明の別の一実施例によって、ＦＤＭとＯＣＣとを組み合わせて用いる方法を説明するための図である。
【０１３６】
図１３では、４ＲＥ間隔のリソースを周波数束として、全４個の周波数リソース束を生成して、４個の周波数リソース束では、それぞれ２個のＡＰを直交リソースと区分する。
【０１３７】
図１４では、連続した２個のＲＥをＯＣＣ適用単位として、８個のＲＥで全４個のＯＣＣグループを生成する。当該ＲＢに定義された長さＮ／２のｓｃｒａｍｂｌｉｎｇ ｓｅｑｕｅｎｃｅを各ＯＣＣグループにマッピングして用いる。
【０１３８】
図１５は、本発明の別の一実施例によって、ＦＤＭを用いて、ＡＰ当たり８ＲＥ間隔を説明する方法を示す図である。
【０１３９】
レイヤーの数に関係なく、ポート当たりＲＥの数を固定してもよい(例え、Ｎ−ＲＥ／最大ＡＰの数)。一方、レイヤーの数に応じてポート当たりＲＥの数を可変してもよい(例え、Ｓｉｎｇｌｅ ｌａｙｅｒ：２４ＲＥｓ ｐｅｒ ｐｏｒｔ、Ｔｗｏ ｌａｙｅｒｓ：１２ ＲＥｓ ｐｅｒ ｐｏｒｔ、Ｔｈｒｅｅ ｌａｙｅｒｓ：８ＲＥｓ ｐｅｒ ｐｏｒｔ、Ｆｏｕｒ ｌａｙｅｒｓ：６ＲＥｓ ｐｅｒ ｐｏｒｔ、Ｓｉｘ ｌａｙｅｒｓ：４ＲＥｓ ｐｅｒ ｐｏｒｔ、Ｅｉｇｈｔ ｌａｙｅｒｓ：３ＲＥｓ ｐｅｒ ｐｏｒｔ)。
【０１４０】
５レイヤーの場合、６レイヤーのためのＤＭＲＳパターンで５個のポートを用いて、７レイヤーの場合、８レイヤーのためのＤＭＲＳパターンで７個のポートを用いてもよい。
【０１４１】
上述した説明は、最大８個のＡＰのためのＤＭＲＳリソース割り当て方法であるが、これよりも小さい範囲のＡＰに対するリソース割り当て方法として用いられてもよい。例えば、最大４個のＡＰを仮定する場合、この方法のｓｕｂｓｅｔを用いてもよく、アンテナＡＰを拡張する場合(例え、最大８個)、１つのＯＦＤＭシンボルをさらに用いてもよい。一例として、２個のＯＦＤＭシンボルにＯＣＣ−２を適用してＡＰを区分してもよい。以下の表１は、ＬＴＥ−Ａ：８ポート２４ＲＥを仮定する。
【０１４２】
【表１】
2019531626.tif 000003
【０１４３】
ＣＤＭのためのシーケンス
【０１４４】
従来のＬＴＥ ＵＬ ＤＭＲＳの場合、ｂａｓｅ−ｓｅｑｕｅｎｃｅとしてＺＣ ｓｅｑｕｅｎｃｅを用いて、さらにｔｉｍｅ ｄｏｍａｉｎ ｃｙｃｌｉｃ ｓｈｉｆｔを適用するために、１２間隔のＤＦＴ ｖｅｃｔｏｒを用いて(ｅｘｐ(ｊ＊２＊ｐｉ＊ｎ＊ｋ／１２))、１２個のｏｒｔｈｏｇｏｎａｌ ｖｅｃｔｏｒのうち８個のｖｅｃｔｏｒを用いて、１２ＲＥ単位で繰り返し適用される。
【０１４５】
新たなシステムにおいて、１つのＯＦＤＭシンボルに８個の直交ＤＭＲＳアンテナポート(ＡＰ)をｍｕｌｔｉｐｌｅｘｉｎｇする方法において、周波数軸にＣＤＭ或いはＯＣＣを適用する方案が考えられる。
【０１４６】
(１) Ｔｉｍｅ ｄｏｍａｉｎ ｃｙｃｌｉｃ ｓｈｉｆｔを適用する場合、８間隔のＤＦＴ ｖｅｃｔｏｒを用いる(ｅｘｐ(ｊ＊２＊ｐｉ＊ｎ＊ｋ／８))。これは、８個のレイヤーのそれぞれの無線チャンネルに対するｉｍｐｕｌｓｅ ｒｅｓｐｏｎｓｅがｔｉｍｅ ｄｏｍａｉｎにおいて最大の間隔で離れて配置できるようにするメリットがある。
【０１４７】
特に、８個のＯｒｔｈｏｇｏｎａｌ ＤＭＲＳアンテナポートをＣＤＭとして用いるパターンに適用することができる。
【０１４８】
Ｏｒｔｈｏｇｏｎａｌ ｓｅｑｕｅｎｃｅとしてはＨａｄａｍａｄ-８を適用してもよい。
【０１４９】
このとき、１２ＲＥが１ＲＢと定義される場合、長さ８のｖｅｃｔｏｒが１２個のＲＥに配置されると、１サイクルのｖｅｃｔｏｒとｖｅｃｔｏｒの一部がマッピングされる形態になる。例えば、長さ８のｖｅｃｔｏｒを[Ｓｎ(０) Ｓｎ(１) Ｓｎ(２) Ｓｎ(３) Ｓｎ(４) Ｓｎ(５) Ｓｎ(６) Ｓｎ(７)]とするとき、１２ＲＥにマッピングされる手順は、以下のようである。
【０１５０】
１２ＲＥ ｍａｐｐｉｎｇ：[Ｓｎ(０) Ｓｎ(１) Ｓｎ(２) Ｓｎ(３) Ｓｎ(４) Ｓｎ(５) Ｓｎ(６) Ｓｎ(７) Ｓｎ(０) Ｓｎ(１) Ｓｎ(２) Ｓｎ(３)]
【０１５１】
Ｍｕｌｔｉ-ＲＢにマッピングされるシーケンスが連続するｐｈａｓｅを有するようにする方案として、ＲＢ数に応じてマッピング関係を設定することができる。
【０１５２】
【表２】
2019531626.tif 000004
【０１５３】
(２) Ｔｉｍｅ ｄｏｍａｉｎ ｃｙｃｌｉｃ ｓｈｉｆｔを適用する場合、４間隔のＤＦＴ ｖｅｃｔｏｒを用いる(ｅｘｐ(ｊ*２*ｐｉ*ｎ*ｋ/４))。これは、４個のレイヤーのそれぞれの無線チャンネルに対するｉｍｐｕｌｓｅ ｒｅｓｐｏｎｓｅがｔｉｍｅ ｄｏｍａｉｎにおいて各レイヤーが最大間隔で離れて配置されるようにするメリットがある。
【０１５４】
特に、４個のＯｒｔｈｏｇｏｎａｌ ＤＭＲＳアンテナポートをＣＤＭとして用いるパターンで適用してもよい。
【０１５５】
Ｏｒｔｈｏｇｏｎａｌ ｓｅｑｕｅｎｃｅとしては、Ｈａｄａｍａｄ-４を適用してもよい。
【０１５６】
ＦＤＭとＣＤＭで直交ＤＭＲＳ ＡＰを定義するとき、１２ＲＥが１ＲＢと定義される場合、６ＲＥ単位でＣＤＭを適用して、４個のＤＭＲＳ ＡＰを区分し、他の６ＲＥリソースにおいてＣＤＭで他の４個のＤＭＲＳ ＡＰを定義してもよい。このとき、長さ４のｖｅｃｔｏｒが６ＲＥにマッピングされることから、上述してマッピングと同様に、ｖｅｃｔｏｒの一サイクルと半サイクルがマッピングされる。同様に、Ｍｕｌｔｉ-ＲＢにマッピングされるシーケンスが連続したｐｈａｓｅを有するようにする方案として、ＲＢ数に応じてマッピング関係を設定してもよい。
【０１５７】
【表３】
2019531626.tif 000005
【０１５８】
ＦＤＭとＣＤＭを適用する方案
【０１５９】
１２ＲＥを１ＲＢで構成するリソースマッピングにおいて６個のＲＥでＣＤＭとして４個のアンテナポートを区分して、他の６個のＲＥで他の４個のアンテナポートを区分する。
【０１６０】
図１６は、本発明の一実施例によって、ＦＤＭとＣＤＭを適用する方案を示す図である。
【０１６１】
具体的に、図１６(Ａ)は、２個の連続するＲＥをグルーピングし、グループを２ＲＥ間隔で配置する方式を示す。なお、図１６(Ｂ)は、２ＲＥ間隔のＲＥをグルーピングすることを示す。
【０１６２】
２個のグループ(Ｇ１，Ｇ２)においてそれぞれ４個のアンテナポートを区分することができる。このとき、各グループには、上述したＣＤＭコードを適用してもよい。
【０１６３】
下りリンク送信において多重ユーザが送信される場合、基地局は、多重ユーザのチャンネル推定のためのＤＭＲＳポートをＦＤＭとＣＤＭグループ内に割り当ててもよい。基地局は、各ユーザが使用するＤＭＲＳポートを指示することができるが、個別ユーザが利用するＤＭＲＳポートを指定することを基本とする。多重ユーザがＤＭＲＳアンテナポートを割り当てられたとき、端末が他のユーザが使用するＤＭＲＳポート情報を知っている場合、チャンネル推定性能の向上の可能性がある。
【０１６４】
例えば、端末に２個のＤＭＲＳポートが割り当てられ、そのためにＣＤＭのうち２個が選ばれたとき、端末は、２ＲＥ単位でａｖｅｒａｇｅして、２個のＤＭＲＳアンテナポートを区分することができる。他の端末のために、ＣＤＭのうち残りの２個のシーケンスが割り当てられる可能性もあるため、当該端末は、４個のＲＥ単位でａｖｅｒａｇｅして、２個のＤＭＲＳアンテナポートを区分する方法も可能である。
【０１６５】
無線チャンネルのＦｒｅｑｕｅｎｃｙ ｓｅｌｅｃｔｉｖｉｔｙを考慮するとき、できる限り近い距離のＲＥをａｖｅｒａｇｅすることが望ましいが、２個のＲＥをａｖｅｒａｇｅした方が、４個のＲＥをａｖｅｒａｇｅするより良いチャンネル推定性能が期待できる。多重ユーザ送信において基地局が端末に多重ユーザｍｕｌｔｉｐｌｅｘｉｎｇ関連情報或いはＣＤＭの長さの情報を通知すると、端末は、チャンネル推定時にａｖｅｒａｇｅする単位を調整することができる。例えば、ＣＤＭ-２(長さ２の直交リソースの使用)とＣＤＭ-４(長さ４の直交リソースの使用)を使用したか否かを端末に通知する指示子が設定されてもよい。
【０１６６】
図１７は、上述のような動作を行うための装置を説明するための図である。
【０１６７】
図１７の無線装置８００は上述した特定のＵＥに、及び無線装置８５０は基地局又はｅＮＢに対応付けられる。
【０１６８】
ＵＥは、プロセッサー８１０、メモリ８２０、送受信部８３０を含んでもよく、ｅＮＢ８５０は、プロセッサー８６０、メモリ８７０及び送受信部８８０を含んでもよい。送受信部８３０，８８０は、無線信号を送信／受信し、３ＧＰＰなどの物理層で実行されてもよい。プロセッサー８１０，８６０は、物理層及び／又はＭＡＣ層で実行され、送受信部８３０，８８０と接続されている。プロセッサー８１０，８６０は、上述した干渉制御手順を実行してもよい。
【０１６９】
プロセッサー８１０，８６０及び／又は送受信部８３０，８８０は、特定の集積回路(ａｐｐｌｉｃａｔｉｏｎ−ｓｐｅｃｉｆｉｃ ｉｎｔｅｇｒａｔｅｄ ｃｉｒｃｕｉｔ, ＡＳＩＣ)、他のチップセット、論理回路及び／又はデータプロセッサーを含んでもよい。メモリ８２０，８７０は、ＲＯＭ(ｒｅａｄ−ｏｎｌｙ ｍｅｍｏｒｙ)、ＲＡＭ(ｒａｎｄｏｍ ａｃｃｅｓｓ ｍｅｍｏｒｙ)、フラッシュメモリ、メモリカード、記憶媒体及び／又は他の記憶ユニットを含んでもよい。一実施例がソフトウェアによって実行されるとき、上述した方法は、上述した機能を実行するモジュール(例えば、プロセス、機能)として実行されてもよい。このモジュールは、メモリ８２０，８７０に格納されてもよく、プロセッサー８１０，８６０によって実行されてもよい。メモリ８２０，９７０は、プロセッサー８１０, ８６０の内部又は外部に配置されてもよく、公知の手段でプロセッサー８１０, ８６０と接続されてもよい。
【０１７０】
上述したように開示された本発明の好適な実施例に関する詳細な説明は、当業者が本発明を具現して実施し得るように提供された。以上では本発明の好適な実施例を参照して説明したが、当該技術の分野における熟練した者には、添付の特許請求の範囲に記載された本発明を様々に修正及び変更できるということが理解できる。
【産業上の利用可能性】
【０１７１】
上述のような本発明は、例示したＮＲシステムのみならず、様々な要求条件の存在する他の無線システムにも適用することができる。
【図１】
2019531626.tif 000006
【図２】
2019531626.tif 000007
【図３】
2019531626.tif 000008
【図４】
2019531626.tif 000009
【図５】
2019531626.tif 000010
【図６】
2019531626.tif 000011
【図７】
2019531626.tif 000012
【図８】
2019531626.tif 000013
【図９】
2019531626.tif 000014
【図１０】
2019531626.tif 000015
【図１１】
2019531626.tif 000016
【図１２】
2019531626.tif 000017
【図１３】
2019531626.tif 000018
【図１４】
2019531626.tif 000019
【図１５】
2019531626.tif 000020
【図１６（Ａ）】
2019531626.tif 000021
【図１６（Ｂ）】
2019531626.tif 000022
【図１７】
2019531626.tif 000023
【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
無線通信システムにおいて、データ復調用参照信号(ＤＭＲＳｓ)を送信する方法であって、
時間領域ユニット内で第１のＯＦＤＭシンボルについての基本ＤＭＲＳを送信し、
前記時間領域ユニット内で前記第１のＯＦＤＭシンボルの後に位置する一つ以上の第２のＯＦＤＭシンボルについての一つ以上の付加ＤＭＲＳを送信することを含み、
前記第１のＯＦＤＭシンボルの位置はデータ領域のマッピングタイプに基づいて異なって決定され、前記マッピングタイプは前記時間領域ユニット内で前記データ領域の開始ＯＦＤＭシンボルの位置に基づいており、
複数の第２のＯＦＤＭシンボルの位置は、前記時間領域ユニット内の、第２のＯＦＤＭシンボルの数とＯＦＤＭシンボルの数に基づいて決定され、
前記複数の第２のＯＦＤＭシンボルの位置は、前記第１のＯＦＤＭシンボルの位置に関わらず事前に決定されている、ＤＭＲＳ送信方法。
【請求項２】
第１のマッピングタイプに利用される、前記第１のＯＦＤＭシンボルの位置は、ネットワーク構成にしたがって異なって決定され、
第２のマッピングタイプに利用される、前記第１のＯＦＤＭシンボルの位置は、前記データに対して割り当てられる複数のＯＦＤＭシンボルの中の最初に位置するＰＦＤＭシンボルとして予め決定される、請求項１に記載のＤＭＲＳ送信方法。
【請求項３】
前記第１のマッピングタイプに利用される、前記第１のＯＦＤＭシンボルの位置は、前記時間領域ユニット内で２番目に位置するＯＦＤＭシンボル又は３番目に位置するＯＦＤＭシンボルとして異なって決定される、請求項２に記載のＤＭＲＳ送信方法。
【請求項４】
前記最初に位置するＯＦＤＭシンボルは、前記データに対して割り当てられた前記ＯＦＤＭシンボルの中で、前記時間領域ユニット内で最初に位置するＯＦＤＭシンボルとは異なる、請求項２に記載のＤＭＲＳ送信方法。
【請求項５】
前記データは、ＵＥによって送信された物理アップリンク共有チャネル（ＰＵＳＣＨ）を含む、請求項１に記載のＤＭＲＳ送信方法。
【請求項６】
前記データは、ネットワークにより送信される物理ダウンリンク共有チャネル（ＰＤＳＣＨ）を含む、請求項１に記載のＤＭＲＳ送信方法。
【請求項７】
無線通信システムにおいて、データ復調用参照信号(ＤＭＲＳｓ)を送信する装置であって、
時間領域内で第１のＯＦＤＭシンボルについての基本ＤＭＲＳを送信し、時間領域ユニット内で前記第１のＯＦＤＭシンボルの後に位置する一つ以上の第２のＯＦＤＭシンボルについての一つ以上の付加ＤＭＳＲを送信するように構成された送受信機と、
前記送受信機と接続し、データ領域のマッピングタイプに基づいて前記第１のＯＦＤＭシンボルの位置を異なって決定するように構成されたプロセッサとを含み、
前記マッピングタイプは前記時間領域ユニット内の前記データ領域の開始ＯＦＤＭシンボルの位置に基づき、
複数の第２のＯＦＤＭシンボルの位置は、前記時間領域ユニット内の複数の第２のＯＦＤＭシンボルの数と、ＯＦＤＭシンボルの数とに基づいて決定され、
前記複数の第２のＯＦＤＭシンボルの位置は、前記第１のＯＦＤＭシンボルの位置に関わらず予め決定される、ＤＭＲＳ送信装置。
【請求項８】
第１のマッピングタイプに利用される、前記第１のＯＦＤＭシンボルの位置は、ネットワーク構成にしたがって異なって決定され、
第２のマッピングタイプに利用される、前記第１のＯＦＤＭシンボルの位置は、前記データに割り当てられる複数のＯＦＤＭシンボルの中の最初に位置するＯＦＤＭシンボルとして予め決定される、請求項７に記載のＤＭＲＳ送信装置。
【請求項９】
前記第１のマッピングタイプに利用される、前記第１のＯＦＤＭシンボルの位置は、前記時間領域ユニット内で２番目に位置するＯＦＤＭシンボル又は３番目に位置するＯＦＤＭシンボルとして異なって決定される、請求項８に記載のＤＭＲＳ送信装置。
【請求項１０】
前記最初に位置するＯＦＤＭシンボルは、前記データに対して割り当てられた前記ＯＦＤＭシンボルの中で、前記時間領域ユニット内で最初に位置するＯＦＤＭシンボルとは異なる、請求項８に記載のＤＭＲＳ送信装置。
【請求項１１】
前記データは、ＵＥによって送信された物理アップリンク共有チャネル（ＰＵＳＣＨ）を含む、請求項８に記載のＤＭＲＳ送信装置。
【請求項１２】
前記データは、ネットワークにより送信される物理ダウンリンク共有チャネル（ＰＤＳＣＨ）を含む、請求項７に記載のＤＭＲＳ送信装置。
【国際調査報告】
2019531626.tif 000024
2019531626.tif 000025
2019531626.tif 000026
2019531626.tif 000027